(57)【要約】【課題】高圧アキュムレータ体の壁にプレス嵌めされた絞りの滑脱をなくし、高圧接続部と、高圧アキュムレータ体の壁に設けられたこの高圧接続部に対応する収容部との間の圧力密な結合部の形成を改善する。【解決手段】高圧アキュムレータ体２４のための高圧接続部３２であって、高圧アキュムレータ体の壁１２に複数の接続孔１８が形成されていて、該高圧アキュムレータ体の内室１４は高圧源からのシステム圧によって負荷されており、接続孔１８がコンタクト面２８へと開口している形式のものにおいて、高圧接続部３２が、絞り個所３８が形成されている貫通孔３６を有している。【選択図】図１
2007309320.tif 000002
【特許請求の範囲】
【請求項１】
高圧アキュムレータ体（２４，２６）のための高圧接続部（３２，６６）であって、高圧アキュムレータ体の壁（１２）に複数の接続孔（１８）が形成されていて、該高圧アキュムレータ体の内室（１４）は高圧源からのシステム圧によって負荷されており、接続孔（１８）がコンタクト面（２８）へと開口している形式のものにおいて、
高圧接続部（３２，６６）が、絞り個所（３８）が形成されている貫通孔（３６）を有していることを特徴とする、高圧アキュムレータ体のための高圧接続部。
【請求項２】
高圧接続部（３２，６６）の周面（４０）には、端面（４４）に面した端部に所定の接続ジオメトリ（４２）が形成されている、請求項１記載の高圧接続部。
【請求項３】
高圧接続部（３２，６６）の周面（４０）には、肩部状または工具取付部として形成された力導入領域（４８）が延びている、請求項１記載の高圧接続部。
【請求項４】
絞り個所（３８）が、貫通孔（３６）における横断面減少部として形成されている、請求項１記載の高圧接続部。
【請求項５】
接続ジオメトリ（４２）が円錐面（４６）として形成されている、請求項２記載の高圧接続部。
【請求項６】
接続ジオメトリ（４２）が環状の輪郭（５０）を有しており、該環状の輪郭は三角形状（５０）または菱形状（５４）に形成されている、請求項２記載の高圧接続部。
【請求項７】
接続ジオメトリ（４２）が、高圧接続部（３２，６６）の周面（４０）における湾曲部（６４）として形成されている、請求項２記載の高圧接続部。
【請求項８】
高圧接続部（３２，６６）の周面（４０）における接続ジオメトリ（４２）が端面（４４）に関して第１のコンタクト角度（５８）を成して延びていて、この第１のコンタクト角度（５８）は、高圧アキュムレータ体（２４，２６）の接続孔（１８）の領域におけるコンタクト面（２８）における第２のコンタクト角度（６０）とは異なっている、請求項２記載の高圧接続部。
【請求項９】
高圧接続部がアングル状の高圧接続部（６６）として形成されていて、該アングル状の高圧接続部では、絞り個所（３８）を有した貫通孔（３６）が、接続孔（１８）に整合する孔区分（７０）に対して９０°〜２７０°の角度（６８）を成して延びている、請求項１記載の高圧接続部。
【請求項１０】
高圧接続部（６６）が、高圧アキュムレータ体（２４，２６）のコンタクト面（２８）に関して、０°〜３６０°の任意の位置（７２，７４）において方向付けられて材料接続的に固定されている、請求項９記載の高圧接続部。
【発明の詳細な説明】
【技術分野】
【０００１】
本発明は、高圧アキュムレータ体のための高圧接続部であって、高圧アキュムレータ体の壁に複数の接続孔が形成されていて、該高圧アキュムレータ体の内室は高圧源からのシステム圧によって負荷されており、接続孔がコンタクト面へと開口している形式のものに関する。
【背景技術】
【０００２】
ＤＥ２０２００４０１９８２０．７号明細書には、ディーゼルエンジンのための燃料噴射装置が記載されている。この燃料噴射装置は複数の分岐管を有している。これらの分岐管は、燃料噴射装置において燃料高圧アキュムレータから燃料を導出するために働く。これらの分岐管にはそれぞれ１つの絞りが設けられており、この絞りは支持エレメントによって形成されている。この支持エレメントは、分岐管の接続ヘッドの圧縮により形成され、支持エレメントの両側で分岐管の内径を狭める位置固定装置によって、接続ヘッドの領域に位置固定されている。絞りエレメントは支持エレメントに、第１の部分孔と第２の部分孔とを備えた貫通孔として形成されている。この場合、支持エレメントは、ほぼ円筒状の周面を有している。
【０００３】
ドイツ連邦共和国特許出願公開第１００６０７８５号明細書には、燃料高圧アキュムレータを備えた燃料噴射装置が示されている。燃料高圧アキュムレータには複数の分岐管がねじ固定可能であって、燃料噴射装置における圧力脈動を減じるためのそれぞれ１つの絞りを有している。この絞りはそれぞれ管部材として形成されていて、接続ヘッドに取り付けられた分岐管の端部またはこの端部近くの分岐管の内部に配置されている。高圧アキュムレータ（コモンレール）の絞りエレメントは、高圧アキュムレータ体内側の圧力波の緩衝のために働く。このために例えば、個々の燃料インジェクタまたは高圧アキュムレータに供給する高圧ポンプに通じている高圧アキュムレータ（コモンレール）の接続孔に円筒状の絞り部材が取り付けられる。接続孔内にプレス嵌めされる絞りエレメントは、燃料噴射システムの内側での圧力振動の緩衝を改善するために働き、これにより個々の構成部材の圧力強度を高めることができる。
【０００４】
これまで使用されているプレス嵌め絞りとして働く円筒状に形成された支持エレメントでは、支持エレメントの端面の１つが、有利には管状に形成されている燃料高圧アキュムレータの内室に突入している。圧力脈動が存在していることに基づき、高圧アキュムレータ（コモンレール）の内室には、システム圧を越える圧力が生じる。システム圧は、燃料高圧アキュムレータの内室に継続的に圧力、即ちシステム圧ｐ１を負荷する燃料高圧ポンプによりもたらされる。燃料高圧アキュムレータの内室に、システム圧の絶対値を超過するまたは著しく下回る圧力脈動が生じると、これは、燃料高圧アキュムレータ体の内室に突入する支持エレメントの端面に力を加え、この力は、円筒状に形成された支持エレメントを高圧アキュムレータ体の座部から移動させる。圧力脈動の頻度と大きさに応じて、高圧アキュムレータ体の壁にプレス嵌めされる支持エレメントはその座部から外れる。このことは支持エレメントの座部で生じる漏れを生ぜしめ、これにより燃料のための高圧アキュムレータ噴射システムの機能を損なう。
【０００５】
先行技術により公知のプレス嵌め絞りは通常、高圧アキュムレータ体の壁にプレス嵌めされて収容されている。原料として使用される高圧アキュムレータ体のための材料における誤差およびプレス嵌め絞りにおける構成部分ジオメトリに関する誤差により、プレス嵌め絞りの位置精度と、高圧アキュムレータ噴射システム（コモンレール）で使用されるような高圧アキュムレータ体の耐用期間にわたるプレス嵌め絞りの位置安定性に関して問題が生じる。この場合特に、高圧アキュムレータ体の壁にプレス嵌めされるプレス絞りは、圧力ピーク時には特に不十分な位置安定性しか得られず、これはプレス嵌め絞りを高圧アキュムレータ体の壁における座部から滑脱させることになる。
【特許文献１】ＤＥ２０２００４０１９８２０．７号明細書
【特許文献２】ドイツ連邦共和国特許出願公開第１００６０７８５号明細書
【発明の開示】
【発明が解決しようとする課題】
【０００６】
本発明の技術的課題は、高圧アキュムレータ体の壁にプレス嵌めされた絞りの滑脱を阻止し、高圧接続部と、高圧アキュムレータ体の壁に設けられたこの高圧接続部に対応する収容部との間の圧力密な結合部の形成を改善することにある。
【課題を解決するための手段】
【０００７】
この課題は、本発明によれば、これまで別個の構成部分として場合によっては埃フィルタを前置きして高圧アキュムレータ体の壁にプレス嵌めされていた絞りを、絞り孔として高圧接続部に設けることにより解決される。この高圧接続部は、高圧導管を燃料インジェクタに接続する高圧接続部であっても良く、高圧アキュムレータ体にシステム圧下にある燃料を供給する高圧ポンプに接続される高圧接続部であっても良い。
【発明の効果】
【０００８】
高圧アキュムレータ体の壁に設けられた孔にプレス嵌めされるプレス嵌め絞りを使用しないことにより、高圧アキュムレータ体の基体において付加的な半径方向の応力は生じない。さらに、押しのけられた材料により削り屑が形成されることがない。
【０００９】
絞り孔の直径に関する絞りジオメトリは、高圧接続部における使用に特に適合するように製造することができる。さらに、高圧接続部の接続ジオメトリは、高圧アキュムレータ体の壁に設けられた凹部を有する孔への材料接続的な接合方法に応じて、または例えば鍛造された高圧アキュムレータ体における付加部における接続円錐に個々に適合される。高圧接続部の接続ジオメトリを、これに対して対応するように形成された高圧アキュムレータ体の壁に設けられた接続ジオメトリに材料接続的に接合するために、例えば摩擦溶接またはコンデンサ放電溶接（ＫＥＳ）のような材料接続的な接合方法が使用される。例えばこれら上記の材料接続的な接合方法のための優先順位に応じて、例えば摩擦溶接法を使用する際の高圧接続部には四角形または六角形を形成することができ、またはコンデンサ放電溶接を材料接続的な接合方法として採用する場合には、高圧接続部の外側周面に肩部を形成することができる。
【００１０】
有利には、高圧アキュムレータ体に設けられた対応する収容部との高圧接続部の材料接続的な接続方法の過程で形成されている領域が、作用区域、即ち高圧接続部の「絞り」からできるだけ離れている。ほんの数ミリ秒の溶接時間によっては、高圧接続部への熱の導入は比較的僅かであるので、高圧接続部の材料に形成される絞り孔は全く変形しない。これまで使用されているプレス嵌め絞りでは、高圧アキュムレータ体の壁へのプレス嵌め過程後、または過程中に、プレス嵌め絞りの変形が生じる。これによりもともとの設計横断面は、組み付けられた状態で、プレス嵌め絞りの実際の開口横断面からそれる。このことは本発明より提案される手段により防止することができる。
【００１１】
高圧接続部の接続ジオメトリを、例えば上記溶接法、特に摩擦溶接またはコンデンサ放電溶接のような使用される材料接続的な接合方法に応じて最適化するために、高圧接続部の接合領域の内側に円錐状の領域が形成され、この領域に環状の輪郭を形成することができる。高圧アキュムレータ体の対応する収容部との高圧接続部のコンタクト領域に形成された環状の輪郭は、例えば三角形状または菱形状に形成されたプロフィールを有していて良い。さらに、高圧アキュムレータ体の収容部における円錐角度は、高圧接続部の接続側の端部に形成された円錐角度とは異なっていて良い。互いに異なる種々様々に形成されるコンタクト角度により、シール直径は一義的に規定され、製造される。高圧アキュムレータ体に面した端部における円錐状に延びる面取部との代わりに、高圧接続部を湾曲部状または楕円状に形成することもできる。
【００１２】
高圧接続部軸線に対してほぼ対称的な構成を有する高圧接続部の円筒状の構成の他に、高圧接続部をアングル状に形成することもできる。これにより、例えば高圧接続部の軸線の延長上に高圧導管を装着することができず、燃料インジェクタへの高圧導管のアングル状の接続、または、高圧アキュムレータにシステム圧を負荷する高圧供給ポンプの接続部へのアングル状の接続が必要とされる場合に、内燃機関のシリンダヘッド領域における極めて狭い構成スペースも考慮することができる。
【発明を実施するための最良の形態】
【００１３】
次に図面につき本発明の実施の形態を詳しく説明する。
【００１４】
図１には高圧接続部が示されていて、この高圧接続部は、鍛造部品として形成された高圧アキュムレータ体に収容されている。
【００１５】
高圧アキュムレータ体１０は図１に示したように鍛造された構成部品であり、壁１２によって仕切られている。一般的に管状の構成部品として形成されている高圧アキュムレータ体１０は内室１４を有しており、この内室の対称軸線は符号１６で示されている。この高圧アキュムレータ体１０は球状に構成されていても良い。高圧アキュムレータ体１０を介して高圧下にある燃料を供給すべき燃料インジェクタの数に応じて、高圧アキュムレータ体１０の壁１２に複数の接続孔１８が設けられている。
【００１６】
図１の実施例では、図示された接続孔１８は、鍛造された高圧アキュムレータ体１０の壁１２に形成されている収容部２２に開口している。接続ドーム３０は、高圧接続部３２が嵌め込まれる面取部２８を有している。高圧接続部３２は次いで、摩擦溶接法の過程で、またはコンデンサ放電溶接によって材料接続的に収容部２２に固定される。
【００１７】
高圧接続部３２は雄ねじ山３４を有しており、この雄ねじ山には、燃料インジェクタへの高圧導管または、鍛造された高圧アキュムレータ体２４にシステム圧を負荷する高圧ポンプの供給導管が接続される。高圧接続部３２の内部を貫通して貫通孔３６が延びており、この貫通孔３６は、直径が減少している絞りエレメント３８を成す領域を有している。高圧接続部３２の周面４０には、端面４４の領域に接続ジオメトリ４２が設けられている。この接続ジオメトリ４２は例えば、鍛造された高圧アキュムレータ体２４の収容部２２の面取部２８に対して相補的に形成されていて良い。図１に示されているように、高圧接続部３２の接続ジオメトリ４２は円錐面４６として形成されている。高圧接続部３２の周面４０にはさらに、力導入領域４８が設けられている。鍛造された高圧アキュムレータ体２４の収容部２２との選択された材料接続的な接合法に応じて、力導入領域４８は、４角形または６角形の工具取付部として形成することができ、または特にコンデンサ放電溶接が行われる場合には肩部として形成するこができる。
【００１８】
図１．１には、図１に示した鍛造された高圧アキュムレータ体２４の変化実施例が示されている。図１．１に示した高圧アキュムレータ体１０は、レーザー溶接された高圧アキュムレータ体２６である。図１に示した鍛造された高圧アキュムレータ体２４との相違点は、レーザー溶接された高圧アキュムレータ体２６には、図１に示された接続孔１８上方の接続ドーム３０が設けられていない点にある。レーザー溶接された高圧アキュムレータ体２６の壁１２内に接続孔１８が延びている。
【００１９】
レーザー溶接された高圧アキュムレータ体２６の壁１２には面取部２８が形成されている。この面取部２８には図示したように、高圧接続部３２の、面取部２８に補完的に設けられた接続ジオメトリ４２、例えば円錐面４６が嵌め込まれている。接続孔１８から、レーザー溶接された高圧アキュムレータ体２６の内室１４への移行部には、レーザー溶接された高圧アキュムレータ体２６の運転強度が最適化されるようにエッジ破断部が形成されている。
【００２０】
図１に示した高圧接続部３２は、比較的高い圧力（＞１８００ｂａｒ）に持続的に耐えられるように形成されている。雄ねじ山３４は必要に応じて寸法設定することができる。貫通孔３６内に形成された絞りエレメント３８の直径も、使用目的に応じてその直径に関して最適化することができる。
【００２１】
高圧接続部３２における絞りエレメント３８は接続ジオメトリ４２の領域の高圧接続部３２の接合個所から離されて位置しているので、従来技術のようなプレス嵌め絞りを備えた手段において生じる絞りエレメント３８の変形、特に直径変化は生じない。従来技術により公知のプレス嵌め絞りでは、プレス嵌め過程において、もともと設計されたプレス嵌め絞りの絞り横断面が、プレス嵌め過程で生じる半径方向の力によって変化される。本発明の手段では、高圧接続部３２と鍛造された高圧アキュムレータ体２４またはレーザー溶接された高圧アキュムレータ体２６との材料接続的な結合部が、「絞り」の作用区域から十分に離れている領域がある。約１０ミリ秒の溶接時間では、熱は、材料接続的な接合個所、即ち接続ジオメトリ４２の領域にしか導入されない。
【００２２】
図１に示した高圧接続部３２は、図１に示したような鍛造された高圧アキュムレータ体２４にも、図１．１に示したようなレーザー溶接された高圧アキュムレータ体２６にも、材料接続的に固定することができる。接続孔１８の長さはできるだけ短く形成されるのが望ましい。これにより接続孔１８と内室１４との間の交差領域を良好にバリ取りすることができ、このことは高圧アキュムレータ体１０，２４，２６の運転強度に良好な影響を与える。
【００２３】
図２には、高圧接続部３２の断面図が示されている。
【００２４】
高圧接続部３２を貫通して貫通孔３６が延びており、該貫通孔は、減じられた内径を有した絞りエレメント３８を成す区分を有している。高圧接続部３２の周囲４０には、端面４４の領域に、円錐面４６として形成されている接続ジオメトリ４２が設けられている。図２の高圧接続部３２と図１の鍛造された高圧アキュムレータ体２４もしくは図１．１のレーザー溶接された高圧アキュムレータ体２６との間の材料接続的な接合個所は、貫通孔３６の内側の絞りエレメント３８から離れて位置している。従って、高圧接続部３２の接続ジオメトリ４２の領域で材料接続的な結合部を形成する際の熱導入、これにより生じる熱的な変形、即ち、絞りエレメント３８の絞り横断面の変化は危険なものではない。
【００２５】
図２．１〜図２．４には、高圧接続部３２の端面の領域に接続ジオメトリ４２を構成することができる種々様々な実施例が示されている。
【００２６】
図２．１には、接続ジオメトリ４２の領域に環状の輪郭５０が形成されていることが示されている。図２．１の実施例では、高圧接続部３２に接続ジオメトリ４２の領域で形成された環状の輪郭５０が、三角形状の断面を有するように形成された環状の溝を有している。環状の輪郭５０の三角形状は、図２．１では符号５２で示されている。環状の輪郭５０の領域には、高圧接続部３２の接続ジオメトリ４２と、図１の鍛造された高圧アキュムレータ体２４または図１．１のレーザー溶接された高圧アキュムレータ体２６の面取部２８との間の、摩擦溶接またはコンデンサ放電溶接により、アキュムレータ体２４，２６と高圧接続部３２との間に材料接続的な結合部が形成されている。この結合部は同時に、アキュムレータ体２４，２６と高圧接続部３２との間のシール機能も担っている。
【００２７】
図２．２には、高圧接続部３２における環状の輪郭の変化実施例が示されている。
【００２８】
図２．２には、環状の輪郭５０が図２．２の変化実施例では菱形５４に形成されていることが示されている。図２の高圧接続部３２の端面４４の領域における接続ジオメトリ４２の配置は、接続ジオメトリ４２の構成の別の可能性を提供する。菱形５４は高圧接続部３２の固体材料から、突っ切り溝またはギャップにより分離されていて、摩擦溶接またはコンデンサ放電溶接の過程で特に良好に、鍛造された高圧アキュムレータ体２４もしくはレーザー溶接された高圧アキュムレータ体２６の補完的に形成された面取部２８に材料接続的に結合することができる。
【００２９】
図２．３には、高圧接続部３２と高圧アキュムレータ体との間のコンタクトジオメトリの形状の別の変化実施例が示されている。
【００３０】
図２．３には、高圧接続部３２が、高圧接続部３２の端面４４に関して所定の円錐角度を有している接続ジオメトリ４２を有していることが示されている。この円錐角度は符号５８によって示されている。これに対して、例えば鍛造された高圧アキュムレータ体の接続ドーム３０の面取部２８は水平に関して第２のコンタクト角度６０をなして形成されている。第１のコンタクト角度５８と第２のコンタクト角度６０とは同じではなく互いに異なっているので、高圧接続部３２と、鍛造された高圧アキュムレータ体２４もしくはレーザー溶接された高圧アキュムレータ体２６の面取部２８との間の材料接続的なシールされた接続部のより簡単な構成を形成することができる。第１のコンタクト角度５８と第２のコンタクト角度６０とは有利には５°〜８５°の角度範囲で構成される。これは必要な所要スペースに関して有利である。
【００３１】
図２．４には、高圧接続部３２と高圧アキュムレータ体との間のコンタクト面の構成の別の変化実施例が示されている。
【００３２】
図２、図２．１、図２．２、図２．３に示した実施例とは異なり、高圧接続部３２における接続ジオメトリ４２は湾曲部６４としても形成することができる。湾曲部６４は半球状に形成されているかまたはオリーブ形状又は楕円形状に延びていて良い。高圧接続部３２の湾曲部６４の外側輪郭の領域では、高圧接続部３２は、鍛造された高圧アキュムレータ体２４またはレーザー溶接された高圧アキュムレータ体２６に形成された面取部２８に材料接続的に結合されている。図２．４によれば、高圧アキュムレータ体２４．２６の壁１２に設けられた接続孔１８が面取部２８の領域に移行しており、面取部２８に材料接続的に固定された高圧接続部３２によって受容されることがわかる。
【００３３】
図３は、高圧接続部のアングル状の構成が示されている。
【００３４】
自動車のエンジンルームにおける特に狭い構成空間条件では、図１及び図２に示した高圧接続部３２をアングル状の高圧接続部６６として形成することもできる。これにより、アングル状の高圧接続部６６に接続すべき、燃料インジェクタへと延びる、鍛造された高圧アキュムレータ体２４またはレーザー溶接された高圧アキュムレータ体２６にシステム圧を供給する高圧導管を側方から外側へ案内することができる、または高圧導管を側方に接続することができる。図３に示されているように、アングル状の高圧接続部６６は９０°の角度を有しており、例えば鍛造された高圧アキュムレータ体２４の接続ドーム３０に関して、第１の向き７２または１８０°旋回された第２の向き７４で材料接続的に固定されている。勿論、アングル状の高圧接続部６６を、図３に示した９０°の角度６８とは異なる角度６８で形成することができるように設計することもできる。これにより、第１の向き７２と第２の向き７４との間で、自己着火式の内燃機関の構成スペース特性に合わせて設計することのできる種々様々な接続角度が生じる。このことは、アングル状の高圧接続部６６のアングル状の部分は、貫通孔７０に関して種々様々な角度で方向付けることができ、アングル状の高圧接続部６６の種々様々な接続ジオメトリを形成することができることを意味する。従って例えば図３で９０°の角度６８は、１２０°、１３５°、１８０°またはそれ以上であっても良い。アングル状の高圧接続部６６は接続ドーム６０に関して１８０°回転されて材料接続的に固定されても良い。図１及び２の高圧接続部３２の変化実施例と同様に、また、図２．１〜図２４に示した接続ジオメトリ４２の変化実施例と同様に、これらの実施例はアングル状の高圧接続部６６に転用することができ、高圧接続部６６はその接続ジオメトリ４２で、鍛造された高圧アキュムレータ体２４またはレーザー溶接された高圧アキュムレータ体２６の壁１２に設けられた貫通孔１８の上方の面取部２８もしくは凹部に、摩擦溶接の過程でまたはコンデンサ放電溶接の過程で固定することができる。
【００３５】
本発明により提案された、絞りエレメント３８を高圧接続部３２もしくは６６に設けるという手段により付加的に、高圧アキュムレータ体２４もしくは２６の壁１２における半径方向の応力が回避され、プレス嵌め絞りを使用する際に押しのけられる材料に基づく切り屑の発生が回避される。内部に形成された絞りエレメント３８を有する貫通孔３６を相応に形成することにより付加的に、縁部の領域における良好な移行部、ひいては接続孔１８における減じられた応力が得られる。さらには製造技術的な観点で、鍛造された高圧アキュムレータ体２４でもレーザー溶接された高圧アキュムレータ体２６でも良好にバリ取りすることができる。摩擦溶接またはコンデンサ放電溶接の過程で上記の高圧接続部３２，６６が、鍛造された高圧アキュムレータ体２４または図１．１に示したレーザー溶接された高圧アキュムレータ体２６に接合されるならば、高い炭素含量（０．２５％以上）を有する鋼または表面硬化された構成部分を使用することができる。高い炭素含量（０．２５％以上）を有する鋼または表面硬化された構成部分を使用することにより、締め付けトルクひいては、鍛造された高圧アキュムレータ体２４もしくはレーザー溶接された高圧アキュムレータ体２６の内室を負荷することができるシステム圧に関して圧力レベルを高めることができる。
【図面の簡単な説明】
【００３６】
【図１】鍛造構成部品として形成された高圧アキュムレータ体に組み付けるための本発明による高圧接続部を示す図である。
【図１．１】レーザー溶接構成部品として形成された高圧アキュムレータ体に組み付けるための本発明による高圧接続部を示す選択的な実施例の図である。
【図２】高圧接続部を示した図である。
【図２．１】高圧接続部に形成された環状の輪郭の第１実施例を示す図である。
【図２．２】高圧接続部に形成された環状の輪郭の第２実施例を示す図である。
【図２．３】高圧接続部に形成されたコンタクト面と、このコンタクト面とは異なるコンタクト角度で高圧アキュムレータに形成された受容部とを示す図である。
【図２．４】高圧接続部に形成されたボール状のコンタクトジオメトリを示す図である。
【図３】高圧アキュムレータ体の受容部に接続するためのアングル状に延びる高圧接続部を示す図である。
【符号の説明】
【００３７】
１０  高圧アキュムレータ体、  １２  壁、  １４  内室、  １６  対称軸線、  １８  接続孔、  ２２  収容部、  ２４  鍛造された高圧アキュムレータ体、  ２６  レーザー溶接された高圧アキュムレータ体、  ２８  面取部、  ３０  接続ドーム、  ３２  高圧接続部、  ３４  雄ねじ山、  ３６  貫通孔、  ３８  絞りエレメント、  ４０  周面、  ４２  接続ジオメトリ、  ４４  端面、  ４６  円錐面、  ４８  力導入領域、  ５０  環状の輪郭、  ５２  三角形状の輪郭、  ５４  菱形状の輪郭、  ５８  第１のコンタクト角度、  ６０  第２のコンタクト角度、  ６４  湾曲部、  ６６  アングル状の高圧接続部、  ６８  角度、  ７０  孔区分、  ７２  第１の向き、  ７４  第２の向き
【図１】
2007309320.tif 000003
【図１．１】
2007309320.tif 000004
【図２】
2007309320.tif 000005
【図２．１】
2007309320.tif 000006
【図２．２】
2007309320.tif 000007
【図２．３】
2007309320.tif 000008
【図２．４】
2007309320.tif 000009
【図３】
2007309320.tif 000010